(57)【要約】【課題】音の出る機能を持たせたネクタイを提供する。【解決手段】いわゆる大剣１及び小剣２から成る長細のネクタイＡであって、当該ネクタイＡの大剣１の裏面に音の発生器４を取り付け、当該音の発生器４の駆動ボタンをネクタイＡの表面部から押圧自在に設けた。また上記ネクタイＡの大剣１の裏面にポケット３を設け、当該ポケット３に上記音の発生器４を収納した。さらに上記ポケット３が、大剣１の裏面の折り合わせ部分１ａ、１ａによってその開口部が隠れるものとした。【選択図】図１
0003104678.tif 000002
【実用新案登録請求の範囲】
【請求項１】
いわゆる大剣及び小剣から成る長細のネクタイであって、
当該ネクタイの大剣の裏面に音の発生器を取り付け、当該音の発生器の駆動ボタンをネクタイの表面部から押圧自在に設けたことを特徴とする、音の出るネクタイ。
【請求項２】
上記ネクタイの大剣の裏面にポケットを設け、当該ポケットに上記音の発生器を収納したことを特徴とする、上記請求項１に記載の音の出るネクタイ。
【請求項３】
上記ポケットが、大剣の裏面の折り合わせ部分によってその開口部が隠れることを特徴とした、上記請求項１又は２の何れかに記載の音の出るネクタイ。
【考案の詳細な説明】
【技術分野】
【０００１】
この考案は、男性又は一部の女性において、ワイシャツ等を着た時に締めるネクタイであって、音の出る機能を持たせたネクタイに関するものである。
【背景技術】
【０００２】
従来から、特に男性の間でワイシャツを着、背広を着た際にネクタイを締めた襟元で、ネクタイの柄、色、結び方、上着やワイシャツ等との配色、バランスなどを考えておしゃれが楽しまれている。一方、ただこれらのネクタイの柄等によりおしゃれを楽しむと言っても従来から行われているものであり、従来から行われているものの域を出ない。もっと奇抜な楽しみ方があれば、ネクタイを締めるのがより楽しくなり、ネクタイ需要の増加にもつながる。
【０００３】
例えば、ネクタイの一定箇所を押せば音楽が流れる、又はオルゴールが聞こえるなどしたらもっと自分もリラックスでき、さらに人と会っている時などは、相手が抱く自分への印象も深くなり、人間関係も深まり、ネクタイを締めるのが楽しくなる。
これらに類するかと思えるものとしてネクタイピンに音声機能を持たせたものがある。
【特許文献１】実公昭６１−２２４８７号公報
【考案の開示】
【考案が解決しようとする課題】
【０００４】
しかしながら、ネクタイピンに音声機能を持たせたものはあったが、ネクタイ自体に音の出る機能を持たせたものはなかった。    
【０００５】
そこでこの考案は、音の出る機能を持たせたネクタイを提供して上記課題を解決するものである。
【課題を解決するための手段】
【０００６】
請求項１の考案は、いわゆる大剣及び小剣から成る長細のネクタイであって、このネクタイの大剣の裏面に音の発生器を取り付け、この音の発生器の駆動ボタンをネクタイの表面部から押圧自在に設けた音の出るネクタイとした。また請求項２の考案は、上記ネクタイの大剣の裏面にポケットを設け、このポケットに上記音の発生器を収納した上記請求項１に記載の音の出るネクタイとした。さらに請求項３の考案は、上記ポケットが、大剣の裏面の折り合わせ部分によってその開口部が隠れる上記請求項１又は２の何れかに記載の音の出るネクタイとした。
【考案の効果】
【０００７】
請求項１乃至３の各考案によれば、ネクタイに装着する音の発生器に予め自分が好む楽曲を記憶させておき、これらの楽曲が発せられた場合、自分自身はもちろんリラックスすることが出来、ネクタイを締めるのが楽しくなる。また他人と一緒にいる時には、突然ネクタイから楽曲、又は人の声などが発せられるので、これを聞いた相手は、発生された楽曲が自分の好むものであった場合、それだけで、こちらに親近感をおぼえ、会話も弾み、親しくなるものである。また人の声で挨拶などが発生された場合、一瞬どこから挨拶されたのか分からないが、すぐに目の前の人間であること分かり、さらにこのネクタイから発せられたものと分かった時には、巧妙な洒落のようにも感じ、親近感を抱き、親しくなるものである。また音の発生器又は音の発生器の音の記憶再生回路を交換することにより、様々な音を楽しむことが出来る。
【０００８】
請求項２の考案によれば、ネクタイの大剣の裏面にポケットを設け、このポケットに上記音の発生器を収納したので、容易かつ確実に装着することが出来る。さらに請求項３の考案によれば、大剣の裏面の折り合わせ部分によって、ポケットの開口部が隠れるようにしたので、このポケットに音の発生器を収納した場合、ポケットから音の発生器が落ち難く、さらにこのネクタイを裏から見ても、ネクタイの裏に音の発生器を装着していることが分かり難く、音の発生器を装着した際の効果を一層高めるものである。
【考案を実施するための最良の形態】
【０００９】
いわゆる大剣及び小剣から成る長細のネクタイであって、このネクタイの大剣の裏面に、この大剣の裏面の折り合わせ部分によってその開口部が隠れるポケットを設け、このポケットに音の発生器を収納し、この音の発生器の駆動ボタンをネクタイの表面部から押圧自在に設けた。
【実施例１】
【００１０】
以下、この考案の実施例を図に基づいて説明する。
図１及び図２に示すのは、この実施例の音の出る機能を設けたネクタイＡである。このネクタイＡは、いわゆる大剣１及び小剣２を有して成る長細の普通のネクタイである。このネクタイＡの大剣１の裏面の先端付近の最も幅広の箇所に略四角形状のポケット３を取り付け、このポケット３は、上部の開口部３ａが大剣１の折り合わせ部分１ａ、１ａによって隠れるようになっている。この上部の開口部３ａから以下に示す音の発生器４を挿入している。
【００１１】
音の発生器４は、図３に示す様に、およそ横３５ｍｍ×縦６５ｍｍ、厚さ５ｍｍで、重さ約１２グラム、一方の端部が半円形状に設けた長方形状のプラスチック製の枠体５から成り、この枠体５の一方の半円形状である端部に円形状の貫通孔６を設け、他方の端部に四角形状の貫通孔７を設けている。この円形状の貫通孔６内に円形状の圧電素子から成るスピーカー８を嵌め込み、四角形状の貫通孔７内にプリント基板を設けて音の記憶再生回路９とし、この音の記憶再生回路９に接続して電池１０、ラバースイッチ１１を設けている。
【００１２】
この様な構成から成る音の発生器４を上記ポケット３に収納するには、大剣１の折り合わせ部分１ａ、１ａを両側に開き、ラバースイッチ１１がネクタイＡの表面になるようにポケット３の上部の開口部３ａから入れ、その後折り合わせ部分１ａ、１ａを閉じる。これによりポケット３の開口部３ａはもちろん、ポケット３の大部分が折り合わせ部分１ａ、１ａにより隠れる。
【００１３】
上記の様なネクタイＡを締め、好きな時に音の発生器４のラバースイッチ１１をネクタイＡの上から押す、すると音の記憶再生回路９からスピーカー８を介して音が発生される。この音は、楽曲、例えば携帯電話の着信メロディのような電子音から成る楽曲であっても良いし、クラシックの一部楽曲であっても良い。また奇抜なアイデアとして、自分の音声で「おはようございます！」、「今日は！」、さらに小鳥の囀りなどを記憶させたものを再生するようにしても良い。
【００１４】
するとこれを聞いた相手は、発生された楽曲が自分の好むものであった場合、それだけで、こちらに親近感をおぼえ、会話も弾み、親しくなるものである。また後者の挨拶などが発生された場合、一瞬にどこから挨拶されたのか分からないが、その後すぐに目の前の人間であること分かり、さらにこのネクタイＡから発せられたものと分かった時には、巧妙な洒落のようにも感じ、またオルゴールの音を聞いてリラックスし、小鳥の囀りなどを聞いて心地よくなり、親近感を抱き、親しくなるものである。またネクタイＡを長期に渡って使用せずしまって置く場合は、上記ポケット３から音の発生器４を抜いておく。さらに使用に際して、音の発生器４をポケット３に容易に収納でき、その際他の音声の音の発生器４に代えることも出来る。
【００１５】
上記実施例において、ネクタイＡの大剣１の裏面にポケット３を設け、このポケット３に音の発生器４を収納しているが、音の発生器４をネクタイＡに収納する方法は、これに限定するものではない。また音の発生器４として、具体的な構成を述べているが、音の発生器４の構成は、これに限るものではなく、マイコンを使用したものや録音機を使用したものなどでもよい。
【００１６】
さらにこの音の発生器４からでる音は、楽曲や予め記憶させた音声に限らず、オルゴールや単なる「プーッ」や「ピーッ」などのブザーでもよく、また録音機によって録音されたものを再生するようにしてもよく、音ならあらゆるものが採用できるものである。また上記ラバースイッチ１１も、このラバースイッチ１１を押すと一定時間上記音の記憶再生回路９が駆動し、スピーカー８から音が発生し、その後止む方式のものであるが、これに限らず、ラバースイッチ１１を二度押すと音の発生が止まるようにしても良い。さらには、このラバースイッチ１１を押している間のみ音が発生するものでも良い。また駆動スイッチとしては、ラバースイッチ１１に限らず、音の発生器４から音を発生させるものであれば良い。
【図面の簡単な説明】
【００１７】
【図１】この考案の実施例のネクタイの大剣の裏面に設けたポケットに音の発生器を入れて収納した状態を示す、ネクタイ全体の裏面の説明図である。
【図２】この考案の実施例のネクタイの大剣の裏面に設けたポケットに音の発生器を入れて収納した状態を示す、ネクタイの大剣部分の拡大説明図である。
【図３】この考案の実施例の音の発生器の構成を示す説明斜視図である。
【符号の説明】
【００１８】
Ａ    ネクタイ
１    ネクタイの大剣                    １ａ  大剣の折り合わせ部分
２    ネクタイの小剣                    ３    ネクタイのポケット
３ａ  ポケットの開口部                  ４    音の発生器
５    音の発生器の枠体                  ６    枠体の貫通孔
７    枠体の貫通孔                      ８    スピーカー
９    音の記憶再生回路                １０    電池
１１    ラバースイッチ
【図１】
0003104678.tif 000003
【図２】
0003104678.tif 000004
【図３】
0003104678.tif 000005